(57)【要約】【課題】  ビル等に入退室させる入退室管理システムで使用される暗証番号の有効期限が切れた場合に、新しい暗証番号と新しい有効期限の再設定を入退室端末装置で行うことを課題とする。【解決手段】  ビル等の入退室口に設置される入退室端末装置の入力装置を暗証番号変更モードに切り替える暗証番号モード切り替えステップと、記録媒体に記録されたＩＤコードを読み取る読み取りステップと、前記読み取りステップで読み取ったＩＤコードに基づき個人識別データを抽出する個人識別データ抽出ステップと、前記個人識別データ抽出ステップで抽出された個人識別データと前記入力装置から入力される暗証番号とを照合する照合ステップと、該照合結果が一致した場合に新しい暗証番号を入力する新暗証番号入力ステップと、前記新しい暗証番号の入力後、新しい有効期限を入力する新有効期限入力ステップにより実行する。【選択図】図３
2005180048.tif 000002
【特許請求の範囲】
【請求項１】
ビルや建物あるいは部屋等の入退室口に設置され、暗証番号とその有効期限が入力できると共に、前記暗証番号を変更するための暗証番号変更モードに切り替え可能な入力装置を含む入退室端末装置と、前記入退室端末装置とネットワークを通して接続され、前記入退室端末装置に対するデータ設定を行うセンター装置とにより、前記ビルや建物あるいは部屋等への入退室を管理する入退室管理システムの前記暗証番号を設定する暗証番号設定方法であって、
前記入力装置を暗証番号変更モードに切り替える暗証番号モード切り替えステップと、記録媒体に記録されたＩＤコードを読み取る読み取りステップと、前記読み取りステップで読み取ったＩＤコードに基づき個人識別データを抽出する個人識別データ抽出ステップと、前記個人識別データ抽出ステップで抽出された個人識別データと前記入力装置から入力される暗証番号とを照合する照合ステップと、該照合結果が一致した場合に新しい暗証番号を入力する新暗証番号入力ステップと、前記新しい暗証番号の入力後、新しい有効期限を入力する新有効期限入力ステップと、を有することを特徴とする暗証番号設定方法。
【請求項２】
新暗証番号入力ステップを複数回繰り返すことを特徴とする請求項１に記載の暗証番号設定方法。
【請求項３】
ビルや建物あるいは部屋等の入退室口に設置される入退室端末装置と、前記入退室端末装置とネットワークを通して接続され、前記入退室端末装置に対するデータ設定を行うセンター装置とにより前記ビルや建物あるいは部屋等への入退室を管理する入退室管理システムの前記暗証番号を設定する暗証番号設定装置において、
前記入退室端末装置を、暗証番号とその有効期限が入力できる入力装置と、記録媒体に記録されたＩＤコードを読み取る読み取り手段と、前記読み取り手段で読み取られたＩＤコードに基づき個人識別データを抽出する個人識別部と、前記個人識別部で抽出された個人識別データと前記入力装置から入力される暗証番号とを照合する暗証番号照合部とを含む構成にすると共に、暗証番号を変更するための暗証番号変更モードに切り替える暗証番号モード切り替え手段を有することを特徴とする暗証番号設定装置。
【発明の詳細な説明】
【技術分野】
【０００１】
この発明は、ビルや建物あるいは部屋等への入室、あるいはビルや建物あるいは部屋等から退室する人を管理する入退室管理システムにおいて使用される暗証番号を設定する暗証番号設定方法およびその装置に関するものである。
【背景技術】
【０００２】
近年、ビルや建物あるいは部屋等（以下、単に部屋と称する。）への入室時、あるいは部屋からの退室時に、記録媒体、例えば、個人を特定するＩＣカード（以下、単にカードと称する。）に記録される情報を読み取る読み取り手段や電気錠を備え、カードのＩＤ番号により入退室する人を管理する入退室管理システムが普及してきている。
この入退室管理システムの普及に伴い、部屋内の汎用ネットワークやテナント内の汎用ネットワークに接続し、ＯＡ機器等と同じネットワーク上で、入退室する人を監視するための入退室端末装置や、この入退室端末装置に対し入退室管理用データの設定を行うセンター装置が設置されることが多くなってきている。
【０００３】
前記入退室管理システムの具体例として、セキュリティ管理する部屋に入室あるいは退室する人や、それぞれの通行許可のための情報を管理する前記センター装置の機能を持つデータ設定端末装置と、各部屋の各入退室口付近に設置され、各部屋へ入退室する人を監視するための前記入退室端末装置の機能を持つ端末コントローラとを備えたものがある。この入退室管理システムは、各部屋へ入室あるいは各部屋から退室する人や、それぞれの人がどの部屋に入退室できるかといった設定がデータ設定端末装置で行われ、汎用ネットワークを介して各入退室口に設置された端末コントローラに配信されるように構成されており、一般的に、前記端末コントローラはマイコンをベースにしたコントローラで実現され、データ設定端末装置はパソコンやワークステーションで実現されている（例えば、特許文献１参照）。
【０００４】
【特許文献１】特開２００２−２１３１２３号公報（第１欄３７行−４８行、図７）
【０００５】
前記入退室管理システムにおいて使用される入退室端末装置は、次のように構成され動作する。
即ち、人が部屋に入室あるいは部屋から退出する時に、入退室する人が所有するカードのＩＤコードを入退室端末装置の読み取り手段で読み取らせ、この読み取り手段で読み取らせたＩＤコードをもとに、個人識別部で個人識別データを抽出する。その後、入力装置から入退室者の暗証番号が入力されると、この暗証番号と個人識別部で抽出された個人識別データとが暗証番号照合部で照合され、照合結果が結果通知部を通して通知される。この通知された結果は実際に入退室する部屋の入退室口の施解錠に使用されたり、また、センター装置に通行した履歴として通知される。
【０００６】
また、前記入退室管理システムに類似する技術で、留守番電話サービスセンターに既登録の暗証番号を忘失した場合に、留守番電話サービスセンターの窓口に行かなくとも、遠隔制御により暗証番号の再設定を可能とする技術がある（例えば、特許文献２参照）。
【０００７】
【特許文献２】特開平１０−９３６８６号公報（第３欄１９−第４欄１５行、図１）
【０００８】
前記入退室管理システムで使用する暗証番号は、長期間同じ暗証番号を使用していると、暗証番号を第３者に盗まれて悪用される恐れがある。このため、暗証番号に有効期限を設定し、例えばその期限に暗証番号を再設定することが一般に行われている。
しかしながら、前記従来の入退室管理システムにおいては、暗証番号の有効期限が切れて暗証番号の再設定を行う場合、あるいは有効期限内ではあるが暗証番号を再設定する場合に、センター装置において暗証番号の再設定と、その有効期限を再設定する必要があり、緊急性に乏しく部屋への入退室に支障が生ずる問題があった。
【０００９】
また、前記の留守番電話サービスセンターへ既登録の暗証番号を忘失した場合に、遠隔制御により暗証番号を再設定するシステムにおいても、サービスセンター装置において暗証番号を再設定するものであるから、留守番電話の即時操作に支障が生ずる問題があった。
【発明の開示】
【発明が解決しようとする課題】
【００１０】
この発明は、前記問題点に鑑みてなされたものであり、暗証番号とその有効期限が設定されたカードを用いて部屋へ入退室する場合、本人の所有するカードに基づく操作と、入力される暗証番号との照合結果によって本人確認を行い入退室させる入退室管理システムにおいて、使用される前記暗証番号の有効期限が切れてこれを再設定する場合、あるいは有効期限内ではあるが暗証番号を再設定する場合に、セキュリティ性を確保しながら暗証番号とその有効期限の再設定を入退室端末装置で行うことが出来る暗証番号設定方法およびその装置を得ることを課題とするものである。
【課題を解決するための手段】
【００１１】
前記目的を達成するために、この発明にかかる暗証番号変更方法は、ビルや建物あるいは部屋等の入退室口に設置され、暗証番号とその有効期限が入力できると共に、前記暗証番号を変更するための暗証番号変更モードに切り替え可能な入力装置を含む入退室端末装置と、前記入退室端末装置とネットワークを通して接続され、前記入退室端末装置に対するデータ設定を行うセンター装置とにより、前記ビルや建物あるいは部屋等への入退室を管理する入退室管理システムの前記暗証番号を設定する暗証番号設定方法であって、前記
入力装置を暗証番号変更モードに切り替える暗証番号モード切り替えステップと、記録媒
体に記録されたＩＤコードを読み取る読み取りステップと、前記読み取りステップで読み取ったＩＤコードに基づき個人識別データを抽出する個人識別データ抽出ステップと、前記個人識別データ抽出ステップで抽出された個人識別データと前記入力装置から入力される暗証番号とを照合する照合ステップと、該照合結果が一致した場合に新しい暗証番号を入力する新暗証番号入力ステップと、前記新しい暗証番号の入力後、新しい有効期限を入力する新有効期限入力ステップと、を有することを特徴とする。
【発明の効果】
【００１２】
この発明によれば、暗証番号の有効期限が切れてこれを再設定する場合、ありは有効期限内ではあるが暗証番号を再設定する場合に、当該カードを持った人が入退室端末装置を操作することによって、暗証番号とその有効期限が再設定でき、従って、セキュリティ性を確保しながら短時間に暗証番号とその有効期限の再設定を行うことができる。
【発明を実施するための最良の形態】
【００１３】
以下に添付図面を参照して、この発明にかかる暗証番号変更方法およびその装置について好適な実施の形態を説明する。
【００１４】
実施の形態１．
図１は、この発明を実施するための実施の形態１を説明する図面で、セキュリティ管理を必要とする部屋への人の入室あるいは退室を管理する入退室管理システムの構成図である。図１において、センター装置１は、セキュリティ管理する部屋へ入退室する人や、それぞれの入室許可のための情報を管理するものであり、各部屋の各入退室口に対応して設けられる入退室端末装置２１〜２ｎとの間でネットワークＮを通してアクセス出来るように構成されている。ここで、各部屋へ入退室する人や、それぞれの人がどの部屋のどの入退室口から入退室できるかといった設定はセンター装置１で行われ、その設定情報は各部屋の各入退室口に設置され、各部屋への入退室を監視する入退室端末装置２１〜２ｎにネットワークＮを通して配信される。
【００１５】
図２は、前記入退室管理システムで使用される入退室端末装置２１を示す構成図である。部屋を入退室する時には読み取り手段、例えばカードリーダ３にカードのＩＤコードを読み取らせ、個人識別部４でカードリーダ３が読み取ったカードのＩＤコードをもとに、個人識別データ５を抽出する。その後、入力装置６から暗証番号を入力すると、個人識別部４で抽出された個人識別データ５と入力された暗証番号とが暗証番号照合部７で照合され、照合結果は、結果通知部８を通して実際の入退室口の施解錠に使用されたり、また、センター装置１に通行した履歴として通知される。ここで、入力装置６は、通常状態から、暗証番号を変更するための暗証番号変更モードに切り替える暗証番号モード切り替え手段６０を備えており、通常時は暗証番号を変更するモードではない通常状態となるように設定されている。
【００１６】
次に、入退室時に使用するカードに付与された暗証番号の有効期限が切れて暗証番号を再設定する場合の操作について図２の構成図と図３のフローチャートに従って説明する。
この場合、通常操作によりカードリーダ３でカードのＩＤコードを読み取らせて個人識別部４から個人識別データ５を抽出するが、入力装置６から入力された暗証番号の有効期限が切れているため、入退室管理システムは稼動せず、部屋への入退室ができなくなる。
このため、当該カードを持った入退室者は入力装置６の暗証番号モード切り替え手段６０を、通常状態から暗証番号変更モードに切り替え（ＳＴ１）、その後、カードリーダ３に対するカード操作により（ＳＴ２）、カードのＩＤコードを読み取らせると、カードリーダ３がＩＤコードを読み取り、個人識別部４によって照合され、個人識別データ５が抽出される。
【００１７】
個人識別部４から抽出された個人識別データ５が本人のものであれば（ＳＴ３）、入力装置６より暗証番号の入力を行い（ＳＴ４）、個人識別部４から抽出された個人識別データ５と暗証番号とが、暗証番号照合部７で照合され、照合結果が良ければ（ＳＴ５）、入力装置６から変更後の新暗証番号を入力する（ＳＴ６）。
【００１８】
新暗証番号は、確認も含めて複数回、例えば２回入力を行い（ＳＴ７）、１回目と２回目に入力した暗証番号が一致すれば（ＳＴ８）、この新暗証番号を設定する（ＳＴ９）。これにより、結果通知部８を通じて、センター装置１に新暗証番号が通知される。入退室端末装置２１で新暗証番号が設定された場合は、あらかじめ設定された期間分だけ有効期限を延ばすことで、新しい有効期限を設定（ＳＴ１０）し、その後、入力装置６の暗証番号モード切り替え手段６０を、通常モードに切り替える（ＳＴ１１）。
【００１９】
なお、前記においては、カードに付与された暗証番号の有効期限が切れて暗証番号を再設定する場合の操作について説明したが、有効期限内ではあるが、暗証番号を変更する場合の操作についても前記操作と同様である。
【００２０】
また、上記においては、入退室端末装置２１における新暗証番号と新しい有効期限の設定について説明したが、入退室端末装置２２〜２ｎにおける新暗証番号と新しい有効期限の設定についても同様操作により設定できる。
【００２１】
実施の形態２．
前記実施の形態１においては、新暗証番号の入力を２回行い、１回目と２回目の入力が一致した場合に新暗証番号を設定する場合について図示説明したが、これは、新暗証番号の入力を確認するためのものであって、信頼性の欠如を招くものの、新暗証番号は１回の入力のみで設定してもよい。
【産業上の利用可能性】
【００２２】
以上のように、この発明に係る暗証番号設定方法およびその装置は、有効期限付きの暗証番号の有効期限が切れた場合、あるいは有効期限内ではあるが、暗証番号を変更したい場合に、セキュリティ性を確保しながら暗証番号の再設定を入退室端末装置で短時間に行うことが出来るので、産業上の利用可能性は大なるものである。
【図面の簡単な説明】
【００２３】
【図１】この発明の実施の形態１であるビルや建物あるいは部屋等への人の入退室を管理する入退室管理システムのシステム構成図である。
【図２】図１に示す入退室管理システムで使用される入退室端末装置の一部を示す構成図である。
【図３】暗証番号の有効期限が切れた場合、あるいは有効期限内ではあるが暗証番号を変更する場合の操作を示すフローチャートである。
【符号の説明】
【００２４】
１  センター装置、２１〜２ｎ  入退室端末装置、３  カードリーダ、４  個人識別部、
５  個人識別データ、６  入力装置、７  暗証番号照合部、８  結果通知部、Ｎ  ネットワーク。
【図１】
2005180048.tif 000003
【図２】
2005180048.tif 000004
【図３】
2005180048.tif 000005